(57)【要約】【課題】除湿ロータに予熱機能を持たせ、同じ風量と同じ体積下で風速をほぼ倍にして再生能力を向上し、エネルギー効率を上げる除湿装置を提供すること。【解決手段】除湿システム１と再生システム２と除湿ロータ１３とを含む。除湿システム１は、フィルタ３、冷却器４、除湿ブロワー５、電熱器６及びプラスチック材料除湿タンク７を備え、これらが除湿管路８で連結される。再生システム２は、フィルタ９、再生ブロワー１０及び再生ヒーター器１１を備え、これらが再生管路１２で連結される。除湿ロータ１３は、除湿ゾーン１４、冷却ゾーン１５、再生ゾーン１６及び予熱ゾーン１７に分けられる。除湿管路８に設置された直列接続された除湿ゾーン１４を利用し、予冷却除湿と乾燥予熱機能を兼ね備えさせ、省エネ機能とコスト削減を達成する。再生管路１２に再生ゾーン１６を直列に接続して再生予熱ゾーンが形成される。【選択図】図１
0003141586.tif 000002
【実用新案登録請求の範囲】
【請求項１】
主にプラスチック材料と関連領域の除湿に用いられる除湿装置であって、除湿システムと再生システムと除湿ロータとを含み、
前記除湿システムは、フィルタ、冷却器、除湿ブロワー、電熱器及びプラスチック材料除湿タンクを備えると共に、これらが除湿管路で連結され、
前記再生システムは、フィルタ、再生ブロワー及び再生ヒーター器を備えると共に、これらが再生管路で連結され、
前記除湿ロータは、除湿ゾーン、冷却ゾーン、再生ゾーン及び予熱ゾーンに分けられ、前記除湿ロータが吸湿能力を有し、
前記除湿管路の経路は、前記除湿システムのフィルタと前記除湿ロータの前記除湿ゾーンの一端とが接続され、前記除湿ゾーンの他端と前記冷却ゾーンの一端とが直列に接続され、前記冷却ゾーンの他端と前記プラスチック材料除湿タンクとが接続され、さらに前記プラスチック材料除湿タンクと前記除湿システムのフィルタとが連結されて閉回路が形成され、
前記再生管路の経路は、大気に通じた吸入端に前記除湿ロータの前記再生ゾーンの一端が接続され、前記再生ゾーンの他端と前記予熱ゾーンの一端とが直列に接続され、前記予熱ゾーンの他端が大気に通じた排出端に連通された、
ことを特徴とする除湿装置。
【請求項２】
前記除湿システムの前記冷却器が、前記除湿ロータの前記除湿ゾーンの前段に少なくとも１つ設置された、
ことを特徴とする請求項１に記載の除湿装置。
【請求項３】
前記除湿システムの前記冷却器が、さらに前記除湿ロータの前記除湿ゾーンの後端に追加設置された、
ことを特徴とする請求項２に記載の除湿装置。
【請求項４】
前記除湿システムの前記除湿ブロワーが、前記除湿システムの前記除湿管路上に設置されている、
ことを特徴とする請求項１に記載の除湿装置。
【請求項５】
前記再生システムの前記再生ブロワーが、前記再生管路上に設置されている、
ことを特徴とする請求項１に記載の除湿装置。
【考案の詳細な説明】
【技術分野】
【０００１】
本考案は、除湿ロータの多段式再生応用に関し、主にプラスチック材料と関連領域の除湿に応用する、除湿装置に関する。
【背景技術】
【０００２】
プラスチック製品は、日常生活中において、例えば、電器製品の筐体、電子部材の被覆、或いはその他製品の成型応用等、非常に広範に利用されており、枚挙にいとまがない。プラスチック原材料は、多くが形状と大小が異なる顆粒状であり、成型前に水分を除去して乾燥状態を保たなければ完全な製品をつくることができないため、除湿装置が設置される。
【０００３】
従来の除湿装置１００（図５参照）は、除湿ゾーン１０１と再生ゾーン１０２に分かれている。除湿ゾーン１０１は、除湿管路１０３、プラスチック材料タンク除湿ゾーン１０４、フィルタ１０５、冷却器１０６、乾燥ブロワー１０７から成り、再生ゾーン１０２は順にフィルタ１０８、再生ブロワー１０９、再生ヒーター１１０、再生管路１１１から構成される。また、除湿ゾーン１０１と再生ゾーン１０２の間に除湿ロータ１１２が設置されており、除湿管路１０３から除湿ロータ１１２に対し送風して除湿作業を行わせる。
【０００４】
除湿ロータ１１２には、除湿ゾーン１１３が形成され、除湿管路１０３は除湿完了後の除湿ロータ１１２の他端に除湿分岐管１１４が設けられ、さらに除湿ロータ１１２に対して送風して冷却ゾーン１１５が形成され、その後、除湿分岐管１１４は除湿ロータ１１２の他端でプラスチック材料タンク除湿ゾーン１０４後の除湿管路１０３に連結され、除湿ゾーン１１３の循環フローが形成される。
【０００５】
一方で、再生ゾーン１０２の再生は、再生ブロワー１０９により動力を発生して大気を吸い込んだ後、再生ヒーター１１０を経由して、再生管路１１１を経て除湿ロータ１１２の再生熱ゾーン１１６に吹きつけ再生作業を行わせた後、他端から大気に排出され、再生循環フローが形成される。このため、除湿と再生は絶え間なく循環運転してシステム全体の除湿という目的を達成している。
【考案の開示】
【考案が解決しようとする課題】
【０００６】
従来の除湿装置１００は、例えば、除湿時に除湿ロータ１１２の前端(入口端)に設置された乾燥ブロワー１０７が動作して除湿ロータ１１２の除湿ゾーン１１３に吹きつけた後、さらに除湿分岐管１１４に分かれて除湿ロータ１１２の冷却ゾーン１１５に対して吹きつけ、その後、さらにプラスチック材料タンク除湿ゾーン１０４の後段の除湿管路１０３に連結されており、このような設計はプラスチック顆粒の大きさ及び堆積密度の影響を受けやすい。
【０００７】
顆粒が小さすぎたり、密度が高すぎる場合（通気不良）、乾燥ブロワー１０７の風量が正常かつ円滑にプラスチック材料タンク除湿ゾーン１０４を通過して除湿を行うことができず、大量の風量が除湿分岐管１１４を経由して除湿ロータ１１２の冷却ゾーン１１５に対して循環されるため、プラスチック材料タンク除湿ゾーン１０４の除湿作業が大幅に低下し（風が通過できない）、除湿効果が悪くなってしまう。
【０００８】
逆に、顆粒が大きすぎたり、密度が低すぎたりする場合（通風がよすぎる）、大量の風がプラスチック材料タンク除湿ゾーン１０４に向かって送られ、除湿分岐管１１４に送られて除湿ロータ１１２の冷却ゾーン１１５に進入する風が少量のみとなり、除湿ロータ１１２の除湿効果が低下し（除湿ロータが乾燥していない状態となる）、同様にプラスチック材料タンク除湿ゾーン１０４の除湿が低下する問題を引き起こし、且つ非常に制御しにくい。
【０００９】
また、別の面では、再生ゾーン１０２の再生は、除湿ロータ１１２の再生熱ゾーン１１６に対して１回の吹きつけ再生を行い、大気に排出されるが、排出される気体の余熱が高すぎるため、除湿装置１００全体についてみると熱エネルギーの浪費であり、また電力消費が大きく、且つ除湿効率が低下し、生産に影響する。また、現在エネルギーコストが高騰している状況においては大きな負担である。
【００１０】
そこで、本考案は、これに鑑みてなされたもので、その目的は、除湿ロータに２つ以上の再生ゾーン（再生ゾーンと予熱ゾーン）を直列に接続して再生予熱ゾーンを形成し、これにより再生回路に熱回収での予熱機能を持たせ、同じ風量と同じ体積下で風速をほぼ倍に速め、再生能力を向上し、エネルギー効率を上げることができる除湿装置を提供することにある。
【課題を解決するための手段】
【００１１】
請求項１に係る除湿装置は、主にプラスチック材料と関連領域の除湿に用いられるものであって、上記課題を解決するために、除湿システムと再生システムと除湿ロータとを含み、前記除湿システムは、フィルタ、冷却器、除湿ブロワー、電熱器及びプラスチック材料除湿タンクを備えると共に、これらが除湿管路で連結され、前記再生システムは、フィルタ、再生ブロワー及び再生ヒーター器を備えると共に、これらが再生管路で連結され、前記除湿ロータは、除湿ゾーン、冷却ゾーン、再生ゾーン及び予熱ゾーンに分けられ、前記除湿ロータが吸湿能力を有し、前記除湿管路の経路は、前記除湿システムのフィルタと前記除湿ロータの前記除湿ゾーンの一端とが接続され、前記除湿ゾーンの他端と前記冷却ゾーンの一端とが直列に接続され、前記冷却ゾーンの他端と前記プラスチック材料除湿タンクとが接続され、さらに前記プラスチック材料除湿タンクと前記除湿システムのフィルタとが連結されて閉回路が形成され、前記再生管路の経路は、大気に通じた吸入端に前記除湿ロータの前記再生ゾーンの一端が接続され、前記再生ゾーンの他端と前記予熱ゾーンの一端とが直列に接続され、前記予熱ゾーンの他端が大気に通じた排出端に連通されたことを特徴とする。
【００１２】
請求項２に係る除湿装置は、請求項１に係る除湿装置において、前記除湿システムの前記冷却器が、前記除湿ロータの前記除湿ゾーンの前段に少なくとも１つ設置されたことを特徴とするものである。
【００１３】
請求項３に係る除湿装置は、請求項２に係る除湿装置において、前記除湿システムの前記冷却器が、さらに前記除湿ロータの前記除湿ゾーンの後端に追加設置されたことを特徴とするものである。
【００１４】
請求項４に係る除湿装置は、請求項１に係る除湿装置において、前記除湿システムの前記除湿ブロワーが、前記除湿システムの前記除湿管路上に設置されていることを特徴とするものである。
【００１５】
請求項５に係る除湿装置は、請求項１に係る除湿装置において、前記再生システムの前記再生ブロワーが、前記再生管路上に設置されていることを特徴とするものである。
【考案の効果】
【００１６】
本考案の除湿装置によれば、除湿管路に設置された２つ以上の直列に接続された除湿ゾーン（除湿ゾーンと冷却ゾーン）を利用して、除湿回路に予冷却除湿と乾燥予熱機能を兼ね備えさせ、再生ゾーンは再生管路に２つ以上の再生ゾーン（再生ゾーンと予熱ゾーン）を直列に接続して形成する。これにより、分岐管の方式を採用せずに除湿効率と機器の生産能力を向上することができ、熱エネルギーを充分に利用することで省エネ効果を達成し、効率を向上すると同時にコストを抑えることができる。また、管理制御が容易で、機械を止めてメンテナンスをする必要がなく、故障が発生しにくい等の多くの利点を有する。
【考案を実施するための最良の形態】
【００１７】
以下、本考案の実施の形態を図面を参照して説明する。図１は本考案の実施形態に係る除湿装置のシステム構成図である。本考案の実施形態に係る除湿装置は、主にプラスチック材料と関連領域の除湿に応用されるものであって、概略として、除湿システム１と再生システム２と除湿ロータ１３とから構成されている。
【００１８】
除湿システム１は、フィルタ３、冷却器４、除湿ブロワー５、電熱器６及びプラスチック材料除湿タンク７を備えると共に、これらが除湿管路８で連結されて回路を形成している（図１、図２参照）。再生システム２は、フィルタ９、再生ブロワー１０及び再生ヒーター器１１を備えると共に、これらが再生管路１２で連結されている。除湿ロータ１３は、順に除湿ゾーン１４、冷却ゾーン１５、再生ゾーン１６及び予熱ゾーン１７の４つのゾーンに分けられている。
【００１９】
除湿ロータ１３は、セラミック繊維を基材としてハニカムローターを形成し、特殊な化学合成の二段階結晶成長法を利用して吸湿剤シリコンと分子篩をセラミック繊維ロータ基材上に均一に結晶成長させ、極めて強い吸湿能力を形成する。
【００２０】
除湿管路８の経路は、除湿システム１のフィルタ３と除湿ロータ１３の除湿ゾーン１４の一端とが接続され、除湿ゾーン１４の他端と冷却ゾーン１５の一端とが直列に接続され、冷却ゾーン１５の他端とプラスチック材料除湿タンク７とが接続され、さらにプラスチック材料除湿タンク７と除湿システム１のフィルタ３とが連結されて閉回路が形成されている。
【００２１】
再生管路１２の経路は、大気に通じた吸入端に除湿ロータ１３の再生ゾーン１６の一端が接続され、再生ゾーン１６の他端と予熱ゾーン１７の一端とが直列に接続され、予熱ゾーン１７の他端が大気に通じた排出端に連通されている。
【００２２】
除湿システム１のこのような設計は、２つ以上の直列に接続された除湿ゾーン１４と冷却ゾーン１５を備えさせ、除湿風量を安定させると共に、除湿回路に予冷却除湿と乾燥予熱機能を兼ね備えさせ、熱エネルギーを充分に利用して省エネ機能とコスト低減を達成し、さらに除湿効率と機器の生産能力を向上することができる。また、管理制御が容易で、機械を止めてメンテナンスをする必要がなく、故障が発生しにくい等の多くの利点を有し、従来の問題が多く管理制御がしにくい分岐管の方式を採用せずに済む。
【００２３】
また、再生システム２の設置は、再生管路１２がまず除湿ロータ１３の再生ゾーン１６に進入して再生作業を行い、その後残った予熱がさらに除湿ロータ１３の予熱ゾーン１７に進入して予熱し、再生ゾーン１６と予熱ゾーン１７との直列の接続を形成する。再生回路を熱回収で予熱し、流速を増加して再生能力を向上し、且つ、予熱ゾーンを有し、エネルギー効率を向上することにより、さらに除湿効率と機器の生産能力の向上や管理制御が容易である等の多くの利点を得ることができる。
【００２４】
図３は本考案の除湿装置の別の実施形態のシステム構成図である。また、図４は本考案の除湿装置のさらに別の実施形態のシステム構成図である。除湿システム１の冷却器４は、除湿ロータ１３の除湿ゾーン１４の前段に少なくとも１つ設置することができる（図３、図４参照）。また、除湿ロータ１３の除湿ゾーン１４の後段に１つ追加設置してもよい。
【００２５】
除湿システム１の除湿ブロワー５は、除湿システム１の除湿管路８上であれば任意の位置に設置することができるが（図３、図４参照）、除湿ロータ１３の除湿ゾーン１４の後段の冷却ゾーン１５の進入前を最良の設置場所とする。さらに、再生システム２の再生ブロワー１０は、再生管路１２上の任意の位置に設置すれば優れた機械性能を発揮することができる。
【図面の簡単な説明】
【００２６】
【図１】本考案の実施形態に係る除湿装置のシステム構成図である。
【図２】本考案の実施形態に係る除湿装置のフロー図である。
【図３】本考案の除湿装置の別の実施形態のシステム構成図である。
【図４】本考案の除湿装置のさらに別の実施形態のシステム構成図である。
【図５】従来の除湿装置のシステム構成図である。
【符号の説明】
【００２７】
１  除湿システム
２  再生システム
３  フィルタ
４  冷却器
５  除湿ブロワー
６  電熱器
７  プラスチック材料除湿タンク
８  除湿管路
９  フィルタ
１０  再生ブロワー
１１  再生ヒーター器
１２  再生管路
１３  除湿ロータ
１４  除湿ゾーン
１５  冷却ゾーン
１６  再生ゾーン
１７  予熱ゾーン
１００  除湿装置（従来）
１０１  除湿ゾーン
１０２  再生ゾーン
１０３  除湿管路
１０４  プラスチック材料タンク除湿ゾーン
１０５  フィルタ
１０６  冷却器
１０７  乾燥ブロワー
１０８  フィルタ
１０９  再生ブロワー
１１０  再生ヒーター
１１１  再生管路
１１２  除湿ロータ
１１３  除湿ゾーン
１１４  除湿分岐管
１１５  冷却ゾーン
１１６  再生熱ゾーン
【図１】
0003141586.tif 000003
【図２】
0003141586.tif 000004
【図３】
0003141586.tif 000005
【図４】
0003141586.tif 000006
【図５】
0003141586.tif 000007